(57)【要約】【課題】空気供給系統の空気通流状態の改善をタイムリーに且つ自動的に行い得る燃料電池システムを提供する。【解決手段】空気ブロア７により送出する空気を清浄化する空気フィルター２１、空気ブロア７及び空気供給路１３を含む空気供給系統２３における空気通流状態を改善すべき改善必要タイミングを検知するタイミング検知手段３１が設けられ、制御部１０が、タイミング検知手段３１により改善必要タイミングが検知されると、改質水ポンプ１、原燃料ポンプ３及び空気ブロア７を作動させる通常運転を終了して、改質水ポンプ１を作動させ、且つ、原燃料ポンプ３及び空気ブロア７を停止させる空気通流改善運転を実行するように構成されている。【選択図】図１
2020155333.tif 000002
【特許請求の範囲】
【請求項１】
改質水ポンプにより供給される改質水を蒸発させる蒸発器と、原燃料ポンプにより供給される原燃料と前記蒸発器から供給される水蒸気とを改質反応させて水素含有ガスを生成する改質器と、前記改質器から水素含有ガスが燃料極に供給され且つ空気ブロアにより空気が酸素極に供給されて発電する複数のセルを積層状態に有するセルスタックと、前記燃料極から排出される燃料極排ガス中の可燃成分を前記酸素極から排出される酸素極排ガス中の酸素にて燃焼させて、その燃焼熱により前記改質器及び前記蒸発器を加熱する燃焼部と、前記蒸発器、前記改質器、前記セルスタック及び前記燃焼部を内部空間に収容する収納容器と、運転を制御する制御部とを備え、
前記セルスタックが、前記改質器から水素含有ガス路を通して供給される水素含有ガスを各セルの燃料極に分配供給可能なマニホールドを備え、
前記収納容器には、前記空気ブロアからの空気を前記収納容器の内部空間に供給可能な空気供給路が接続され、
前記収納容器の内部空間において、前記セルスタックの複数のセルが、各セルの周縁部の一部のガス排出縁部を介して、各セルの燃料極からの燃料極排ガス及び各セルの酸素極からの酸素極排ガスを周囲空間に排出可能で、且つ、各セルにおける前記ガス排出縁部から離れた空気導入部を介して、周囲空間からの空気を各セルの酸素極に導入可能に構成された燃料電池システムであって、
前記空気ブロアにより送出する空気を清浄化する空気フィルター、前記空気ブロア及び前記空気供給路を含む空気供給系統における空気通流状態を改善すべき改善必要タイミングを検知するタイミング検知手段が設けられ、
前記制御部が、前記タイミング検知手段により前記改善必要タイミングが検知されると、前記改質水ポンプ、前記原燃料ポンプ及び前記空気ブロアを作動させる通常運転を終了して、前記改質水ポンプを作動させ、且つ、前記原燃料ポンプ及び前記空気ブロアを停止させる空気通流改善運転を実行するように構成されている燃料電池システム。
【請求項２】
前記空気供給系統に、前記空気供給路を通して供給される空気の流量を検出する空気流量計が含まれ、
前記制御部が、前記空気流量計にて検出される流量が所定の通常流量になるように、前記空気ブロアの出力を制御するように構成され、
前記タイミング検知手段が、前記空気ブロアの出力が所定の設定上位出力に達することに基づいて、前記改善必要タイミングを検知するように構成されている請求項１に記載の燃料電池システム。
【請求項３】
前記制御部は、
前記空気通流改善運転の開始後、所定の設定改善運転時間が経過すると、前記空気ブロアを作動させ、且つ、前記改質水ポンプ及び前記原燃料ポンプを停止させると共に、前記空気流量計にて検出される流量が前記通常流量になるように前記空気ブロアの出力を制御する改善確認運転に切り換えるように構成され、並びに、
前記改善確認運転中の前記空気ブロアの出力が、前記設定上位出力よりも低い設定下位出力以下の場合は、前記通常運転に切り換えるように構成されている請求項２に記載の燃料電池システム。
【請求項４】
前記制御部は、前記改善確認運転中の前記空気ブロアの出力が前記設定下位出力よりも高い場合は、前記改善確認運転を終了するように構成され、
前記改善確認運転中の前記空気ブロアの出力が前記設定下位出力よりも高い場合に、警報出力を出力する警報手段が設けられている請求項３に記載の燃料電池システム。
【発明の詳細な説明】
【技術分野】
【０００１】
本発明は、改質水ポンプにより供給される改質水を蒸発させる蒸発器と、原燃料ポンプにより供給される原燃料と蒸発器から供給される水蒸気とを改質反応させて水素含有ガスを生成する改質器と、改質器から水素含有ガスが燃料極に供給され且つ空気ブロアにより空気が酸素極に供給されて発電する複数のセルを積層状態に有するセルスタックと、燃料極から排出される燃料極排ガス中の可燃成分を酸素極から排出される酸素極排ガス中の酸素にて燃焼させて、その燃焼熱により改質器及び蒸発器を加熱する燃焼部と、蒸発器、改質器、セルスタック及び燃焼部を内部空間に収容する収納容器と、運転を制御する制御部とを備え、セルスタックが、改質器から水素含有ガス路を通して供給される水素含有ガスを各セルの燃料極に分配供給可能なマニホールドを備え、収納容器には、空気ブロアからの空気を収納容器の内部空間に供給可能な空気供給路が接続され、収納容器の内部空間において、セルスタックの複数のセルが、各セルの周縁部の一部のガス排出縁部を介して、各セルの燃料極からの燃料極排ガス及び各セルの酸素極からの酸素極排ガスを周囲空間に排出可能で、且つ、各セルにおけるガス排出縁部から離れた空気導入部を介して、周囲空間からの空気を各セルの酸素極に導入可能に構成された燃料電池システムに関する。
【背景技術】
【０００２】
かかる燃料電池システムは、セルスタックに備えられた複数のセルにおいて、改質器から供給される水素含有ガスと空気ブロアから供給される空気とを発電反応させて発電するものである。
燃焼部において、各セルのガス排出縁部を介して排出される燃料極排ガス中の可燃成分を、同じく各セルのガス排出縁部を介して排出される酸素極排ガス中の酸素にて燃焼させて、その燃焼熱により、改質部及び蒸発器を加熱する。
原燃料を水素含有ガスに改質処理する改質器、供給される改質水を蒸発させて、改質処理用の水蒸気を生成する蒸発器、改質部及び蒸発器を加熱する燃焼部、及び、セルスタックは、収納容器の内部空間に収容されている。
【０００３】
改質器で生成された水素含有ガスは、水素含有ガス路を通してマニホールドに供給され、そのマニホールドからセルスタックの複数のセルの燃料極に分配供給される。
一方、空気は、空気ブロアにより空気供給路を通して収納容器の内部空間に供給され、収納容器の内部空間に供給された空気は、セルスタックの複数のセル夫々の空気導入部を介して、各セルの酸素極に供給される（例えば、特許文献１参照。）。
【先行技術文献】
【特許文献】
【０００４】
【特許文献１】特開２０１７−１９１７１０号公報
【発明の概要】
【発明が解決しようとする課題】
【０００５】
ところで、空気ブロアにより空気供給路を通して収納容器の内部空間に供給される外気には、塵埃、ＰＭ２．５、黄砂等の微粒子状物質が含まれている。そこで、空気ブロア及び空気供給路を含む空気供給系統には、空気ブロアにより送出する空気を清浄化する空気フィルターも含まれている。
そして、燃料電池システムを運転するのに伴って、空気供給系統、例えば、空気フィルターに微粒子状物質が付着するので、燃料電池システムの運転時間の経過に伴って、空気供給系統の圧損が大きくなって空気供給系統の空気通流状態が悪化する。
【０００６】
従来では、空気供給系統の空気通流状態を改善するために、メンテナンス作業者を燃料電池システムの設置場所に派遣して、空気フィルター等から付着物を除去する作業を行っていた。
しかしながら、空気供給系統の空気通流状態改善のためのメンテナンス作業者の派遣は、燃料電池システムの運転経費の上昇に繋がるので、そのようなメンテナンス作業者の派遣を抑制したいという課題があった。
【０００７】
又、メンテナンス作業者の派遣は、例えば、定期的、あるいは、燃料電池システムの累積運転時間に応じて行うことになるが、大気中の微粒子状物質の含有度は地域によって様々である。従って、空気供給系統の空気通流状態の改善作業が、空気通流状態の悪化程度が軽度で未だ必要でないのに不必要に行われたり、空気通流状態が過度に悪化してから行われたりして、空気供給系統の空気通流状態の改善作業をタイムリーに行うことができないという問題もあった。
【０００８】
本発明は、かかる実情に鑑みてなされたものであり、その目的は、空気供給系統の空気通流状態の改善をタイムリーに且つ自動的に行い得る燃料電池システムを提供することにある。
【課題を解決するための手段】
【０００９】
上記目的を達成するための本発明に係る燃料電池システムは、改質水ポンプにより供給される改質水を蒸発させる蒸発器と、原燃料ポンプにより供給される原燃料と前記蒸発器から供給される水蒸気とを改質反応させて水素含有ガスを生成する改質器と、前記改質器から水素含有ガスが燃料極に供給され且つ空気ブロアにより空気が酸素極に供給されて発電する複数のセルを積層状態に有するセルスタックと、前記燃料極から排出される燃料極排ガス中の可燃成分を前記酸素極から排出される酸素極排ガス中の酸素にて燃焼させて、その燃焼熱により前記改質器及び前記蒸発器を加熱する燃焼部と、前記蒸発器、前記改質器、前記セルスタック及び前記燃焼部を内部空間に収容する収納容器と、運転を制御する制御部とを備え、
前記セルスタックが、前記改質器から水素含有ガス路を通して供給される水素含有ガスを各セルの燃料極に分配供給可能なマニホールドを備え、
前記収納容器には、前記空気ブロアからの空気を前記収納容器の内部空間に供給可能な空気供給路が接続され、
前記収納容器の内部空間において、前記セルスタックの複数のセルが、各セルの周縁部の一部のガス排出縁部を介して、各セルの燃料極からの燃料極排ガス及び各セルの酸素極からの酸素極排ガスを周囲空間に排出可能で、且つ、各セルにおける前記ガス排出縁部から離れた空気導入部を介して、周囲空間からの空気を各セルの酸素極に導入可能に構成された燃料電池システムであって、その特徴構成は、
前記空気ブロアにより送出する空気を清浄化する空気フィルター、前記空気ブロア及び前記空気供給路を含む空気供給系統における空気通流状態を改善すべき改善必要タイミングを検知するタイミング検知手段が設けられ、
前記制御部が、前記タイミング検知手段により前記改善必要タイミングが検知されると、前記改質水ポンプ、前記原燃料ポンプ及び前記空気ブロアを作動させる通常運転を終了して、前記改質水ポンプを作動させ、且つ、前記原燃料ポンプ及び前記空気ブロアを停止させる空気通流改善運転を実行するように構成されている点にある。
【００１０】
上記特徴構成によれば、改質水ポンプ、原燃料ポンプ及び空気ブロアを作動させる通常運転の実行中に、タイミング検知手段により、空気供給系統の空気通流状態を改善すべき改善必要タイミングが検知されると、通常運転が自動的に終了して、改質水ポンプを作動させ、且つ、原燃料ポンプ及び空気ブロアを停止させる空気通流改善運転が自動的に実行される。
空気通流改善運転では、改質水ポンプにより改質水が改質水供給路を通して蒸発器に供給され、蒸発器において、蒸発器そのものの残熱、燃焼部の残熱及び収納容器内の残熱により改質水が蒸発して、高温の水蒸気が生成される。その水蒸気は、改質器に供給され、更に、水素含有ガス路を通してマニホールドに供給される。
マニホールドに供給された高温の水蒸気は、セルスタックの複数のセル夫々の燃料極に分配供給され、各セルの燃料極を通流して、各セルのガス排出縁部から、収納容器の内部空間に排出されるので、収納容器の内部空間には、高温の水蒸気が充満する。
【００１１】
収納容器の内部空間に充満した高温の水蒸気は、空気供給路を逆流して、収納容器外に排出される。
そして、高温の水蒸気が空気供給路を逆流することにより、空気フィルター等、空気供給系統に付着した付着物が水蒸気により溶解して除去されるので、空気供給系統の空気通流状態が改善する。
そのような空気供給系統の空気通流状態を改善するための空気通流改善運転は、タイミング検知手段により改善必要タイミングが検知されるのに伴って実行されるので、空気通流改善運転は、空気供給系統の空気通流状態の改善が早過ぎたり遅過ぎたりするのが抑制されて、タイムリーに実行される。
従って、空気供給系統の空気通流状態の改善をタイムリーに且つ自動的に行い得る燃料電池システムを提供することができる。
【００１２】
本発明に係る燃料電池システムの更なる特徴構成は、前記空気供給系統に、前記空気供給路を通して供給される空気の流量を検出する空気流量計が含まれ、
前記制御部が、前記空気流量計にて検出される流量が所定の通常流量になるように、前記空気ブロアの出力を制御するように構成され、
前記タイミング検知手段が、前記空気ブロアの出力が所定の設定上位出力に達することに基づいて、前記改善必要タイミングを検知するように構成されている点にある。
【００１３】
上記特徴構成によれば、通常運転中は、空気流量計にて検出される流量が所定の通常流量になるように、空気ブロアの出力が制御され、そのように制御される空気ブロアの出力が設定上位出力に達することに基づいて、タイミング検知手段により改善必要タイミングが検知される。
つまり、空気供給系統の空気通流状態の悪化の度合いに応じて、空気ブロアの出力が上昇することになるので、空気ブロアの出力により、空気供給系統の空気通流状態の悪化の度合いを適切に把握することができる。
そこで、空気ブロアの出力に基づいて改善必要タイミングを検知することにより、改善必要タイミングを、空気供給系統の空気通流状態の改善が早過ぎたり遅過ぎたりすることなく、適切に検知することができるので、空気通流改善運転が一層タイムリーに実行される。
従って、空気供給系統の空気通流状態の改善を一層タイムリーに行うことができる。
【００１４】
本発明に係る燃料電池地ステムの更なる特徴構成は、前記制御部は、
前記空気通流改善運転の開始後、所定の設定改善運転時間が経過すると、前記空気ブロアを作動させ、且つ、前記改質水ポンプ及び前記原燃料ポンプを停止させると共に、前記空気流量計にて検出される流量が前記通常流量になるように前記空気ブロアの出力を制御する改善確認運転に切り換えるように構成され、並びに、
前記改善確認運転中の前記空気ブロアの出力が、前記設定上位出力よりも低い設定下位出力以下の場合は、前記通常運転に切り換えるように構成されている点にある。
【００１５】
上記特徴構成によれば、空気通流改善運転の開始後、設定改善運転時間が経過すると、空気ブロアを作動させ、且つ、改質水ポンプ及び原燃料ポンプを停止させると共に、空気流量計にて検出される流量が通常流量になるように空気ブロアの出力を制御する改善確認運転に自動的に切り換わり、更に、改善確認運転中の空気ブロアの出力が、設定上位出力よりも低い設定下位出力以下の場合は、通常運転に自動的に切り換わる。
つまり、空気通流改善運転の後に実行される改善確認運転中の空気ブロアの出力に基づいて、空気供給系統の空気通流状態の改善度合いを適切に判断することが可能である。
そして、空気通流改善運転により空気供給系統の空気通流状態が適切に改善されたときには、通常運転に自動的に復帰させることが可能となるのである。
ちなみに、空気供給系統の空気通流状態が低下した状態で、通常運転を実行すると、空気ブロアの出力が高くなるので、燃料電池システムのエネルギー効率が低下する。
従って、燃料電池システムを、エネルギー効率の低下を抑制した状態で自動的に継続して運転することができる。
【００１６】
本発明に係る燃料電池システムの更なる特徴構成は、前記制御部は、前記改善確認運転中の前記空気ブロアの出力が前記設定下位出力よりも高い場合は、前記改善確認運転を終了するように構成され、
前記改善確認運転中の前記空気ブロアの出力が前記設定下位出力よりも高い場合に、警報出力を出力する警報手段が設けられている点にある。
【００１７】
上記特徴構成によれば、改善確認運転中の空気ブロアの出力が設定下位出力よりも高い場合は、改善確認運転が自動的に終了して、警報手段により、警報出力が出力される。
そして、警報手段により警報出力が出力されると、空気フィルターの清掃等、空気供給系統の空気通流状態の改善作業を行うために、メンテナンス作業者を派遣することができる。
従って、空気供給系統の空気通流状態が過度に悪化していて、自動的に実行される空気通流改善運転では、空気通流状態を適切に改善できない時には、迅速にメンテナンス作業者を派遣して、空気供給系統の空気通流状態を適切な状態に復帰させることができる。
【図面の簡単な説明】
【００１８】
【図１】実施形態に係る燃料電池システムを通常運転での流体の通流状態にて示すブロック図である。
【図２】実施形態に係る燃料電池システムを空気通流改善運転での流体の通流状態にて示すブロック図である。
【図３】制御動作のフローチャートを示す図である。
【発明を実施するための形態】
【００１９】
以下、図面に基づいて、本発明の実施形態を説明する。
図１に示すように、燃料電池システムは、改質水ポンプ１により供給される改質水を蒸発させる蒸発器２と、原燃料ポンプ３により供給される原燃料ガス（例えば、１３Ａ等の天然ガスベースの都市ガス）と蒸発器２から供給される水蒸気とを改質反応させて水素含有ガスを生成する改質器４と、改質器４から水素含有ガスが燃料極５ａに供給され且つ空気ブロア７により空気が酸素極５ｃに供給されて発電する複数のセル５を積層状態に有するセルスタック６と、燃料極５ａから排出される燃料極排ガス中の可燃成分を酸素極５ｃから排出される酸素極排ガス中の酸素にて燃焼させて、その燃焼熱により改質器４及び蒸発器２を加熱する燃焼部８と、蒸発器２、改質器４、セルスタック６及び燃焼部８を内部空間９ｓに収容する収納容器９と、運転を制御する制御部１０等を備えて構成されている。
【００２０】
セルスタック６には、改質器４から水素含有ガス路１１を通して供給される水素含有ガスを各セル５の燃料極５ａに分配供給可能なマニホールド１２が備えられている。
又、収納容器９には、空気ブロア７からの空気を収納容器９の内部空間９ｓに供給可能な空気供給路１３が接続されている。
更に、収納容器９の内部空間９ｓにおいて、セルスタック６の複数のセル５が、各セル５の周縁部の一部のガス排出縁部５ｅを介して、各セル５の燃料極５ａからの燃料極排ガス及び各セル５の酸素極５ｃからの酸素極排ガスを周囲空間に排出可能で、且つ、各セル５におけるガス排出縁部５ｅから離れた空気導入部５ｉを介して、周囲空間からの空気を各セル５の酸素極５ｃに導入可能に構成されている。
【００２１】
次に、燃料電池システムの各部について、説明を加える。
セル５及びセルスタック６は周知であるので、詳細な説明及び図示を省略して、簡単に説明する。
セル５は、燃料極５ａと酸素極５ｃとの間に固体電解質層（図示省略）を備えた固体酸化物形に構成されている。ちなみに、固体電解質層としては、例えば酸化ジルコニウムが用いられる。
セルスタック６の各セル５は、概略矩形板状に構成され、燃料極５ａの面方向に沿って水素含有ガスを通流させ、酸素極５ｃの面方向に沿って空気を通流させることが可能に構成されている。
又、各セル５の互いに対向する一対の端縁部の一方が、燃料極５ａからの燃料極排ガス及び酸素極５ｃからの酸素極排ガスを排出するガス排出縁部５ｅに構成され、他方の端縁部の近傍が、空気を酸素極５ｃに導入可能な空気導入部５ｉに構成されている。
又、図示を省略するが、各セル５における近傍に空気導入部５ｉが構成された端縁部には、燃料極５ａに水素含有ガスを導入可能な水素含有ガス導入口が設けられている。
【００２２】
そして、複数のセル５が、夫々のガス排出縁部５ｅを同一方向に向け且つ夫々の水素含有ガス導入口が設けられた端縁部を同一方向に向けた姿勢にて、電気的に直列接続された状態で積層状態に組み付けられることにより、セルスタック６が構成される。
【００２３】
マニホールド１２は、セルスタック６における各セル５の水素含有ガス導入口が設けられた端縁部が存在する側面部に、各セル５の水素含有ガス導入口がマニホールド１２に連通する状態で配設されている。
このように、マニホールド１２を備えたセルスタック６において、各セル５の空気導入部５ｉは周囲空間に露呈する状態であり、各セル５の空気導入部５ｉに周囲空間からの空気を受け入れ可能に構成されている。
【００２４】
このように構成されたセルスタック６が、マニホールド１２が下方に位置し、且つ、各セル５のガス排出縁部５ｅが上向きになって、複数のセル５の積層方向が横向きになる姿勢で、収納容器９内に配設される。
収納容器９の内部空間９ｓにおいて、セルスタック６の上方には、セルスタック６と間隔を隔てて、蒸発器２と改質器４が横方向に並べて配設される。
【００２５】
収納容器９の内部空間９ｓにおけるセルスタック６と蒸発器２及び改質器４との間の空間１４は、各セル５のガス排出縁部５ｅから燃料極排ガス及び酸素極排ガスが排出されて、燃料極排ガス中の可燃成分を酸素極排ガス中の酸素にて燃焼させることが可能な燃焼空間１４に構成されて、この燃焼空間１４が燃焼部８として用いられる。
燃焼部８には、燃料極排ガス中の可燃成分を着火させる着火ヒータ１５が設けられている。
そして、燃焼空間１４にて構成される燃焼部８にて、燃料極排ガス中の可燃成分を酸素極排ガス中の酸素にて燃焼させて、その燃焼により発生する燃焼熱により、収納容器９の内部空間９ｓに配設された蒸発器２及び改質器４、並びに、セルスタック６を加熱することが可能に構成されている。
【００２６】
蒸発器２には、改質水ポンプ１により改質水が圧送される改質水供給路１６が、収納容器９の外部から引き込まれて接続され、更に、原燃料ポンプ３により原燃料ガスが圧送される原燃料ガス供給路１７も、収納容器９の外部から引き込まれて接続されている。この原燃料ガス供給路１７には、原燃料ガスの流量を調節する原燃料調整弁１８が設けられている。
【００２７】
そして、蒸発器２は、改質水供給路１６を通して供給される改質水を、燃焼部８から伝えられる燃焼熱を用いて加熱して蒸発させると共に、改質水の蒸発によって生成された水蒸気を、原燃料ガス供給路１７を通して供給される原燃料ガスに混合させるように構成される。
【００２８】
改質器４の内部には、改質触媒（図示省略）が充填されている。その改質器４の内部に、蒸発器２において水蒸気が混合された状態の原燃料ガスが導入されるように、蒸発器２と改質器４とが中継路１９にて接続されている。
そして、改質器４において、蒸発器２から水蒸気が混合された状態で供給される原燃料ガスを、燃焼部８から伝えられる燃焼熱を用いて水蒸気により改質処理して、水素を含む改質ガス、即ち水素含有ガスに改質処理するように構成されている。
【００２９】
改質器４とマニホールド１２とは、改質器４で生成された水素含有ガスをマニホールド１２に供給すべく、水素含有ガス路１１にて接続されている。そして、マニホールド１２に供給された水素含有ガスは、セルスタック６の複数のセル５夫々の水素含有ガス導入口から各セル５の燃料極５ａに分配供給され、各セル５の燃料極５ａを上方に通流して発電反応に供された後、各セル５のガス排出縁部５ｅから、燃料極排ガスとして、燃焼部８として用いられる燃焼空間１４に排出される。
【００３０】
収納容器９の底部には、空気受け入れ口２０が設けられ、その空気受け入れ口２０には、空気ブロア７により空気を送出する空気供給路１３が接続されている。
空気供給路１３における空気ブロア７よりも上流側の部分には、空気ブロア７により送出する空気を清浄化する空気フィルター２１が設けられている。
又、空気供給路１３における空気ブロア７よりも下流側の部分には、空気供給路１３を通して供給される空気の流量を検出する空気流量計２２が設けられている。
つまり、空気供給路１３、空気ブロア７、空気フィルター２１及び空気流量計２２により、セルスタック６の複数のセル５夫々の酸素極５ｃに空気を供給する空気供給系統２３が構成される。
【００３１】
そして、空気ブロア７によって、空気が、空気フィルター２１により清浄化された後、空気供給路１３を通して収納容器９の内部空間９ｓに供給される。そのように収納容器９の内部空間９ｓに供給された空気は、セルスタック６の複数のセル５夫々の空気導入部５ｉから各セル５の酸素極５ｃに供給され、各セル５の酸素極５ｃを上方に通流して発電反応に供された後、各セル５のガス排出縁部５ｅから、酸素極排ガスとして、燃焼部８として用いられる燃焼空間１４に排出される。
そして、燃焼部８において、燃料極排ガス中の可燃成分が酸素極排ガス中の酸素にて燃焼する。
【００３２】
更に、収納容器９には、燃焼部８にて発生した燃焼排ガスを外部に排出させる燃焼排ガス排出口２４が底部等に形成され、その燃焼排ガス排出口２４における収納容器９の内面の開口部付近には、燃焼排ガス排出口２４から外部に排出される燃焼排ガス中の一酸化炭素ガスを除去する燃焼触媒（例えば、白金系触媒）を収納した一酸化炭素除去部２５が設けられている。
【００３３】
次に、制御部１０の制御動作について説明する。
この燃料電池システムの操作指令等、各種情報を制御部１０に送信する操作部２６が設けられ、この操作部２６には、各種情報を表示出力するディスプレイ２７が備えられている。ちなみに、ディスプレイ２７は、ＬＣＤ（液晶ディスプレイ）にて構成されている。
【００３４】
制御部１０には、インターネット等の通信ネットワーク２８を介して、管理センター（図示省略）のホストコンピュータ２９と通信する通信手段３０が備えられている。ちなみに、管理センターは、都市ガスの供給会社等に設置され、ホストコンピュータ２９は、複数の燃料電池システムの通信手段３０と通信可能に構成されている。
【００３５】
制御部１０は、操作部２６からの操作指令、及び、空気流量計２２の検出情報等に基づいて、改質水ポンプ１、原燃料ポンプ３、原燃料調整弁１８、空気ブロア７及び着火ヒータ１５等の作動を制御するように構成されている。
又、制御部１０は、通信手段３０により、原燃料ガスの消費量、発電量及び異常情報等の燃料電池システムの運転情報を、通信ネットワーク２８を介してホストコンピュータ２９に通信するように構成されている。
【００３６】
本発明では、空気供給系統２３における空気通流状態を改善すべき改善必要タイミングを検知するタイミング検知手段３１が設けられ、制御部１０が、タイミング検知手段３１により改善必要タイミングが検知されると、改質水ポンプ１、原燃料ポンプ３及び空気ブロア７を作動させる通常運転を終了して、改質水ポンプ１を作動させ、且つ、原燃料ポンプ３及び空気ブロア７を停止させる空気通流改善運転を実行するように構成されている。
【００３７】
空気の供給量を調整するための空気ブロア７の出力の制御について説明を加える。
制御部１０は、デューティ制御により空気ブロア７への通電を制御するＰＷＭ（Ｐｕｌｓｅ  Ｗｉｄｔｈ  Ｍｏｄｕｌａｔｉｏｎ）制御により、空気ブロア７の出力を制御する。
【００３８】
通常運転及び空気通流改善運転について、説明を加える。
制御部１０は、通常運転では、原燃料ポンプ３、改質水ポンプ１及び空気ブロア７を作動させると共に、原燃料ガスの流量がセルスタック６からの出力電力に応じた流量になるように、原燃料調整弁１８を作動させ、改質水の流量が原燃料ガスの流量に応じた流量になるように、改質水ポンプ１の出力を制御し、並びに、空気流量計２２にて検出される空気の流量が原燃料ガスの流量に応じた流量になるように、空気ブロア７のデューティを制御する。
【００３９】
ここで、セルスタック６からの出力電力が定格出力のときの、セルスタック６からの出力電力に応じた原燃料ガスの流量を、原燃料定格流量とし、原燃料定格流量に応じた改質水の流量を、改質水定格流量とし、原燃料定格流量に応じた空気の流量を、空気定格流量とする。
そして、制御部１０は、通常運転において、セルスタック６からの出力電力を定格出力に調整するときは、原燃料ガスの流量が原燃料定格流量になるように、原燃料調整弁１８を作動させ、改質水の流量が改質水定格流量になるように、改質水ポンプ１の出力を制御し、並びに、空気流量計２２にて検出される空気の流量が空気定格流量になるように、空気ブロア７のデューティを制御する。
【００４０】
又、制御部１０は、空気通流改善運転においては、原燃料ポンプ３及び空気ブロア７を停止させた状態で、改質水の流量が改質水定格流量になるように、改質水ポンプ１の出力を制御する。
【００４１】
この実施形態では、タイミング検知手段３１は、制御部１０を用いて構成されている。
そして、制御部１０が、通常運転において、空気流量計２２にて検出される流量が空気定格流量（所定の通常流量の一例）になるように、空気ブロア７のデューティ（空気ブロア７の出力の一例）を制御している状態で、タイミング検知手段３１は、空気ブロア７のデューティを監視し、空気ブロア７のデューティが所定の設定上位デューティ（設定上位出力の一例）に達することに基づいて、改善必要タイミングを検知するように構成されている。
【００４２】
ここで、空気供給系統２３の空気通流状態が正常な場合に、空気流量計２２にて検出される流量が空気定格流量になるように制御される空気ブロア７のデューティを、標準デューティとする。
そして、設定上位デューティは、標準デューティよりも所定量大きい値に設定される。
【００４３】
制御部１０は、空気通流改善運転の開始後、所定の設定改善運転時間が経過すると、空気ブロア７を作動させ、且つ、改質水ポンプ１及び原燃料ポンプ３を停止させると共に、空気流量計２２にて検出される流量が空気定格流量になるように空気ブロア７のデューティを制御する改善確認運転に切り換えるように構成されている。
並びに、制御部１０は、改善確認運転中の空気ブロア７のデューティが、設定上位デューティよりも低い設定下位デューティ（設定下位出力の一例）以下の場合は、通常運転に切り換えるように構成されている。
ちなみに、設定改善運転時間は、例えば１分間に設定され、設定下位デューティは、標準デューティに等しい値か、設定上位デューティよりも低くなる条件で、標準デューティよりも所定量高い値に設定される。
【００４４】
又、制御部１０は、改善確認運転中の空気ブロア７のデューティが設定下位デューティよりも高い場合は、空気ブロア７を停止させて、改善確認運転を終了するように構成されている。
そして、改善確認運転中の空気ブロア７の出力が設定下位デューティよりも高い場合に、警報出力を出力する警報手段３２が設けられている。
【００４５】
この実施形態では、制御部１０は、改善確認運転中の空気ブロア７のデューティが設定下位デューティよりも高い場合は、ディスプレイ２７に、空気供給系統２３の異常を示す空気供給異常情報を表示すると共に、通信手段３０により、空気供給異常情報を通信ネットワーク２８を介してホストコンピュータ２９に送信するように構成されている。
ちなみに、図示を省略するが、ホストコンピュータ２９にはディスプレイが備えられ、通信ネットワーク２８を介して送信されてきた空気供給異常情報が、ホストコンピュータ２９のディスプレイに表示される。
つまり、空気供給異常情報が警報出力に相当し、警報手段３２が、ディスプレイ２７やホストコンピュータ２９により構成されている。
【００４６】
次に、図３に示すフローチャートに基づいて、通常運転、空気通流改善運転及び改善確認運転における制御部１０の制御動作を説明する。
尚、図３に示すフローチャートでは図示を省略するが、操作部２６等から燃料電池システムの運転開始の指令が送信されると、制御部１０は、所定の手順で改質水ポンプ１、原燃料ポンプ３及び空気ブロア７を作動させる起動制御を実行して、通常運転を開始するように構成されている。
【００４７】
制御部１０が通常運転を実行中は、タイミング検知手段３１は、空気ブロア７のデューティを監視し、空気ブロア７のデューティが設定上位デューティよりも低くて、タイミング検知手段３１が改善必要タイミングを検知しない間は、制御部１０は通常運転を継続し、空気ブロア７のデューティが設定上位デューティ以上になることに基づいて、タイミング検知手段３１が改善必要タイミングを検知すると、制御部１０は、通常運転を終了して、空気通流改善運転を開始する（ステップ＃１〜３）。
【００４８】
制御部１０は、空気通流改善運転の開始後、設定改善運転時間が経過すると、改善確認運転に切り換える（ステップ＃３〜５）。
制御部１０は、改善確認運転中の空気ブロア７のデューティが設定下位デューティ以下の場合は、通常運転に切り換え、改善確認運転中の空気ブロア７のデューティが設定下位デューティよりも高い場合は、空気ブロア７を停止させて、改善確認運転を終了し、空気供給異常情報をディスプレイ２７に表示すると共に、通信ネットワーク２８を介してホストコンピュータ２９に送信する（ステップ＃５〜８）。
【００４９】
尚、図３に示すフローチャートでは図示を省略するが、通常運転の実行中に、操作部２６等から燃料電池システムの運転停止の指令が送信されると、制御部１０は、所定の手順で改質水ポンプ１、原燃料ポンプ３及び空気ブロア７を停止させる停止制御を実行して、燃料電池システムの運転を停止するように構成されている。
【００５０】
次に、通常運転及び空気通流改善運転夫々における流体の通流状態について、説明する。
図１において矢印にて示すように、通常運転では、改質水ポンプ１及び原燃料ポンプ３が作動して、改質水が改質水供給路１６を通して蒸発器２に供給されると共に、原燃料ガスが原燃料ガス供給路１７を通して蒸発器２に供給される。
そして、蒸発器２において、燃焼部８から伝えられる燃焼熱により、改質水が蒸発すると共に、改質水の蒸発によって生成された水蒸気が原燃料ガスと混合される。
改質器４には、中継路１９を通して、水蒸気が混合された状態で原燃料ガスが供給され、改質器４において、水素含有ガスに改質処理される。
【００５１】
改質器４で生成された水素含有ガスは、水素含有ガス路１１を通してマニホールド１２に供給され、マニホールド１２に供給された水素含有ガスは、セルスタック６の複数のセル５夫々の燃料極５ａに分配供給され、各セル５の燃料極５ａを上方に通流して、各セル５のガス排出縁部５ｅから、燃料極排ガスとして燃焼部８に排出される。
【００５２】
並びに、空気ブロア７が作動して、空気が空気フィルター２１を通過して清浄化されながら、空気供給路１３を通して収納容器９の内部空間９ｓに供給される。
そして、収納容器９の内部空間９ｓに供給された空気は、セルスタック６の複数のセル５夫々の空気導入部５ｉから各セル５の酸素極５ｃに供給され、各セル５の酸素極５ｃを上方に通流して、各セル５のガス排出縁部５ｅから、酸素極排ガスとして燃焼部８に排出される。
【００５３】
燃焼部８においては、燃料極排ガス中の可燃成分が酸素極排ガス中の酸素にて燃焼して、その燃焼熱により、蒸発器２及び改質器４、並びに、セルスタック６が加熱される。
燃焼部８で発生した燃焼排ガスは、燃焼排ガス排出口２４から収納容器９外に排出される。
【００５４】
図２において矢印にて示すように、空気通流改善運転では、原燃料ポンプ３及び空気ブロア７が停止した状態で、改質水ポンプ１が作動して、改質水が改質水供給路１６を通して蒸発器２に供給される。
そして、蒸発器２において、蒸発器２そのものの残熱、燃焼部８の残熱及び収納容器９内の残熱により、改質水が蒸発し、改質水の蒸発によって生成された高温の水蒸気は、中継路１９を通して改質器４に供給されて、その改質器４の残熱により加熱され、更に、水素含有ガス路１１を通してマニホールド１２に供給される。
マニホールド１２に供給された高温の水蒸気は、セルスタック６の複数のセル５夫々の燃料極５ａに分配供給され、各セル５の燃料極５ａを上方に通流して、各セル５のガス排出縁部５ｅから、燃焼部８に構成される燃焼空間１４に排出される。
【００５５】
燃焼空間１４に排出された高温の水蒸気は、収納容器９の内部空間９ｓに充満し、内部空間９ｓに充満した高温の水蒸気の大部分は、空気受け入れ口２０から空気供給路１３に流入し、空気流量計２２及び空気フィルター２１を通過しながら空気供給路１３を逆流して、収納容器９外に排出され、残部は、燃焼排ガス排出口２４から収納容器９外に排出される。
ちなみに、燃焼排ガス排出口２４から収納容器９外に排出される水蒸気は、一酸化炭素除去部２５を通過するので、燃焼排ガス排出口２４を通過する水蒸気の圧損は、空気供給路１３を逆流する水蒸気の圧損に比べてかなり大きい。
従って、内部空間９ｓに充満した水蒸気は、優先的に空気供給路１３を逆流して排出される。
【００５６】
そして、高温の水蒸気が空気流量計２２及び空気フィルター２１を通過しながら空気供給路１３を逆流することにより、空気フィルター２１及び空気流量計２２等に付着した付着物（例えば、硫酸アンモニウムを含む付着物等）が水蒸気により溶解して除去されることになり、空気供給系統２３の空気通流状態が改善される。
従って、空気供給系統２３の空気通流状態の改善をタイムリーに且つ自動的に行うことができる。
【００５７】
空気通流改善運転の後に実行される改善確認運転において、空気ブロア７のデューティが設定下位デューティ以下の場合は、空気供給系統２３の空気通流状態が適切に改善されたと考えられるので、自動的に通常運転に切り換わる。
【００５８】
一方、改善確認運転において、空気ブロア７のデューティが設定下位デューティよりも高い場合は、空気供給系統２３の空気通流状態が適切に改善されていないと考えられるので、空気供給異常情報がディスプレイ２７に表示されると共に、通信ネットワーク２８を介してホストコンピュータ２９に送信されて、ホストコンピュータ２９のディスプレイに表示される。
【００５９】
〔別実施形態〕
（Ａ）タイミング検知手段３１が改善必要タイミングを検知するための構成は、上記の実施形態で例示した構成、即ち、通常運転における空気ブロア７のデューティ（空気ブロア７の出力の一例）が設定上位デューティ以上になることに基づいて、改善必要タイミングを検知する構成に限定されるものではない。
例えば、空気ブロア７の出力の具体例として、上記の実施形態では、空気ブロア７のデューティを用いたが、空気ブロア７の回転速度を用いても良い。
この場合は、空気ブロア７の回転速度を検出して、検出した空気ブロア７の回転速度が予め設定した設定回転速度に達することに基づいて、改善必要タイミングを検知するように構成しても良い。
【００６０】
又、通常運転の累積運転時間を計時して、計時した累積運転時間が予め設定した運転時間に達することに基づいて、改善必要タイミングを検知するように構成しても良い。
又、ＰＭ２．５、黄砂等の微粒子状物質が付着することにより、空気供給系統２３の空気通流状態を悪化させると考えられる。そこで、気象庁等から発信される黄砂、ＰＭ２．５等の、空気供給系統２３の空気通流状態を悪化させると考えられる外気情報を入手するように構成して、そのような外気情報に基づいて、改善必要タイミングを検知するように構成しても良い。
【００６１】
（Ｂ）上記の実施形態では、空気通流改善運転の実行後、改善確認運転を実行するように構成したが、空気通流改善運転の実行後、直ちに、通常運転に復帰するように構成しても良い。
この場合は、復帰した通常運転において、空気ブロアの出力が設定下位出力よりも高い場合は、通常運転を終了するように構成し、更に、警報手段により警報出力を出力するように構成する。
【００６２】
尚、上記の実施形態（別実施形態を含む、以下同じ）で開示される構成は、矛盾が生じない限り、他の実施形態で開示される構成と組み合わせて適用することが可能であり、又、本明細書において開示された実施形態は例示であって、本発明の実施形態はこれに限定されず、本発明の目的を逸脱しない範囲内で適宜改変することが可能である。
【産業上の利用可能性】
【００６３】
以上説明したように、空気供給系統の空気通流状態の改善をタイムリーに且つ自動的に行い得る燃料電池システムを提供することができる。
【符号の説明】
【００６４】
１    改質水ポンプ
２    蒸発器
３    原燃料ポンプ
４    改質器
５    セル
５ａ  燃料極
５ｃ  酸素極
５ｅ  ガス排出縁部
５ｉ  空気導入部
６    セルスタック
７    空気ブロア
８    燃焼部
９    収納容器
９ｓ  内部空間
１０  制御部
１１  水素含有ガス路
１２  マニホールド
１３  空気供給路
２１  空気フィルター
２２  空気流量計
２３  空気供給系統
３１  タイミング検知手段
３２  警報手段
【図１】
2020155333.tif 000003
【図２】
2020155333.tif 000004
【図３】
2020155333.tif 000005